(57)【要約】      （修正有）【課題】一旦ふたを開けても高濃度が維持できるＨ２混合液用の容器を提供する。【解決手段】大気圧よりも高圧状態の過飽和Ｈ２水を、容器内の気圧が大気圧になるまで射出させ、その段階で過飽和Ｈ２水の噴出が停止しても、そのまま密封状態で時間を置くと、容器内で新たに発生したＨ２ガスが内圧を上昇させ、それによってＨ２ガスが過飽和となり、ノズルを押すと、大気圧に戻るまでまたそのＨ２水が噴出する仕組みとする。これによって、一回Ｈ２発生剤を密封させるだけで過飽和Ｈ２水を微量ずつ、繰り返し取り出すことができる。【選択図】なし【特許請求の範囲】
【請求項１】
水を加えることによってＨ２ガスを発生するＨ２発生剤や、徐放性のＨ２発生物質を、Ｈ２発生器具とともに内部に備え付けることができる容器であって、内部に水などの生態適用液を充填させることができる容器であり、かつ内部の溶液を押し出すためのノズルを有するＨ２混合容器。ただし、このＨ２混合容器が備えるノズルは、内部から外部へ、圧力差に応じて内容物、すなわちＨ２含有生態適用液が流出させるもので、内部と外部の圧力差がなくなった時点で、Ｈ２含有生態適用液の流出は停止するものである。
【請求項２】
内部の溶液を押し出すためのノズルを有するＨ２混合容器であって、スクリューキャップ式に密閉できるようにした容器であって、このスクリューキャップは、ノズル施設部とは別の、しかしスクリューキャップを開けることによって、内部にＨ２を溶存させるための生体適用液を、空気層をほとんど残さずに充填できる部位に設置しているものであって、例えば底面となる部分に設置したものである。
【請求項３】
本発明のＨ２混合容器は、ノズルと直結したＨ２含有液体射出用チューブが、内部の生体適用液最深部に十分に埋没できるようになっており、繰り返し使用することによって減少した生体適用液に、十分に浸ることができる長さを持つ。また、繰り返しＨ２含有液体を射出したのち、Ｈ２混合容器内部の気層は、新たに発生したＨ２ガスによって満たされており、Ｈ２発生剤のＨ２発生能が持続する限り、そのＨ２ガス層の圧力は大気圧を上回り、その分、過飽和Ｈ２含有生体適用液を射出できるモノである。
【発明の詳細な説明】
【発明の概要】
【発明が解決しようとする課題】水素（Ｈ２）分子を水に溶存させる方法として、溶存Ｈ２濃度を高くする場合は、容器内の内圧を大気圧よりも高くする必要がある。しかしその場合、せっかく過飽和（大気圧でのＨ２溶存飽和濃度を超えるＨ２濃度）を達成しても、一旦ペットボトルなどの容器のふたを開けると、あとはＨ２が水から抜ける一方であり、高濃度Ｈ２水を繰り返し得ようとすると、再び高濃度にすべく容器を密封し直し、Ｈ２発生剤を新たに容器内部の生体適用液内に封入しなければならなかった。例えば少量ずつ過飽和Ｈ２水を飲もうとする場合や、皮膚や頭皮に塗布しようとする場合には、この方法では毎回必要量以上に作りなおさなくてはならず、極めて効率悪く、かつまたコストも高くなるという欠点があった。
【問題を解決するための手段】
本発明のＨ２混合容器として、例えば高圧液体射出用のノズルを備えた容器を応用する場合、すなわち持続してＨ２ガスを発生し続けるＨ２発生剤を封入した本発明のＨ２混合容器の場合は、大気圧よりも高圧状態の過飽和Ｈ２水を、容器内の気圧が大気圧になるまで射出させ、その段階で過飽和Ｈ２水の噴出が停止しても、そのまま密封状態で時間を置くと、容器内で新たに発生したＨ２ガスが内圧を上昇させ、それによってＨ２ガスが過飽和となり、ノズルを押すと、大気圧に戻るまでまたそのＨ２水が噴出する仕組みである。これによって、一回Ｈ２発生剤を密封させるだけで過飽和Ｈ２水を微量ずつ、繰り返し取り出すことができる。
【発明の効果】
Ｈ２分子は、代謝改善や抗炎症作用など、多くの生体効果を期待でき、かつ人体に無害と考えられるガス状分子である。多くの副作用への不安を常に念頭に置きながら投与しなければならない薬剤に比べ、身体への負担ははるかに小さく、また効果はほとんどの薬剤をもしのぐものである。本発明のＨ２混合容器を用いると、少量ずつ過飽和Ｈ２水を使うことができるので、育毛産業や脱毛疾患を患う患者の社会生活にとって、また、少量しかＨ２水を摂取できない身体の小さなヒトや、寝たきりのヒト、小動物などの健康維持を目的とした場合も、その利用効果ははかりしれない。
【実施例】
【００１】市販されている７ｐｐｍのＨ２水作成用の水酸化カルシウムおよびアルミニウム主体のＨ２発生剤を専用のＨ２発生器具に入れ、器具内で少量の水を加えた上、容量約１００ｍｌのスクリューキャップ式に密閉できるようにした高圧射出ノズルを装着した容器に内包し、気相部分ができないように、生体適用液例えば飲料水を容器内に充密させ、スクリューキャップを締めることによって密封した。ちなみに、このスクリューキャップは、通常は底面となる底の部分に設置した。【００２】数分でＨ２ガスが発生し、本発明の容器内の内圧が上昇した。その段階で、Ｈ２混合容器をよく振り、Ｈ２ガスを生体適用液に高濃度で溶存せしめ、ノズルを押すと、大気圧よりも上昇した内圧分のＨ２溶存液がノズルから射出した。すぐにＨ２濃度を測定したところ、約５−７ｐｐｍのＨ２を含んでいた。ノズルを押し続けると、内圧が大気圧と同程度すなわちＨ２ガスによって上昇していた分が押し出されたことにより、内圧が低下し、Ｈ２水の溶出が停止した。なお、このノズルは、押すのを止め、元の状態に戻すことで、内容物射出防止弁の役割を果たしており、例えば容器外の空気が容器内に逆流して容器内を満たすことはない。【００３】さらに一時間ほど待つと、Ｈ２発生器具内のＨ２発生剤から持続して発生したＨ２ガスによって内圧が上昇し、〔００２〕のごとく、ノズルを開くことによって再びＨ２ガス含有水を射出することができた。【００４】ただし、Ｈ２水射出用ノズルに直結したＨ２水吸引チューブは、液相内の底にとどいており、すなわち液相内から出ない間、最高濃度のＨ２水を得ることができる。【００５】本発明のＨ２混合容器が備えるノズルは、大気圧を超える内圧が保たれている間のみ、大気圧との圧力差に応じて内部から液体あるいは気体（Ｈ２）が押し出されるノズルであり、外気すなわち大気が中に逆流することはない。すなわち、内部が陰圧になっても内部の溶液やＨ２ガスなどがノズルから出る仕組みにはなっておらず、内部が大気圧と同圧になった状態で平衡に達し、流出あるいは噴出が停止する。【００６】本発明のＨ２混合容器が備えるノズルは、内部から外部へ、圧力差に応じて内容物、すなわちＨ２含有生態適用液が流出するが、外部から内部への逆流はできない、逆止弁となっているものである。【００７】市販されている７ｐｐｍのＨ２水作成用の水酸化カルシウムおよびアルミニウム主体のＨ２発生剤を専用のＨ２発生器具に入れ、器具内で少量の水を加えた上、容量約１００ｍｌのスクリューキャップ式に密閉できるようにした高圧射出ノズルを装着した容器に内包し、気相部分ができないように、生体適用液例えば飲料水を、容器をさかさまにした状態で容器内に充密させ、底面となる底の部分に設えられたスクリューキャップを閉じて密封し、約１時間間隔で、一回当たり約１０ｍｌのＨ２含有液を５回ほど、流出させることができた。それぞれのＨ２含有溶液におけるＨ２濃度を測定したところ、約５−７ｐｐｍのＨ２を含んでいた。
【産業上の利用可能性】Ｈ２分子は、代謝改善や抗炎症作用など、多くの生体効果を期待でき、かつ人体に無害と考えられるガス状分子である。多くの副作用への不安を常に念頭に置きながら投与しなければならない薬剤に比べ、身体への負担ははるかに小さく、また効果はほとんどの薬剤をもしのぐので、育毛産業や脱毛に悩む人々の社会生活にとって、その利用効果ははかりしれない。本発明のＨ２混合容器を用いると、少量ずつ過飽和Ｈ２水を使うことができるので、育毛産業や脱毛疾患を患う患者の社会生活にとって、また、少量しかＨ２水を摂取できない身体の小さなヒトや、寝たきりのヒト、小動物などの健康維持を目的とした場合も、その利用効果ははかりしれない。